(57)【要約】      （修正有）【課題】壁面において生花を立体的に活けることができ、防水性と給水性に優れ、保水状況を確認でき、生花を長持ちさせる壁掛け用剣山を提供する。【解決手段】吸水性のスポンジ１を縦方向に貫通する凹部に給水管２が配置され、スポンジの下部に保水状況を確認する切り欠き部１１が形成され、スポンジを防水性の透明部材３で覆う壁掛け用の剣山であり、スポンジの正面、側面及び上面に透明部材を介して生花の茎を刺して自在に活けることができ、透明部材でスポンジを包むことで吸水した水を外に漏らすことがなく、切り欠き部で保水状態を確認しながら給水管の給水口から給水できる。【選択図】図２
0003215757.tif 000002
【実用新案登録請求の範囲】
【請求項１】
壁掛け用の剣山であって、
吸水性のスポンジと、
前記スポンジを覆う防水性の透明部材と、
前記スポンジの上部に設けられた給水口とを備えたことを特徴とする壁掛け用の剣山。
【請求項２】
給水口は、スポンジを縦方向に貫通する吸水管の上側開口部であることを特徴とする請求項１記載の壁掛け用の剣山。
【請求項３】
スポンジは、フローラルフォームであり、下部に保水状況を確認する切り欠き部を備えたことを特徴とする請求項１又は２記載の壁掛け用の剣山。
【請求項４】
スポンジの背面に、前記スポンジより硬いプレートを配置して透明部材で覆うようにしたことを特徴とする請求項１乃至３のいずれか記載の壁掛け用の剣山。
【考案の詳細な説明】
【技術分野】
【０００１】
本考案は、壁掛け用の剣山に係り、特に、壁面において生花を立体的に活けることができ、更に生花を長持ちさせることができる壁掛け用剣山に関する。
【背景技術】
【０００２】
［先行技術の説明］
生花は、部屋の空間に飾る場合、平面に設置された花瓶や水盤等の花器に活けたり、平面においてフラワーアレンジメントとして設置されることが多い。
花を壁面等に垂直に飾る場合には、アートフラワー、プリザーブドフラワー、ドライフラワー等の水を必要としない花を飾り付けするのが一般的であった。
【０００３】
尚、壁面に取り付けられた花瓶等に生花を飾ることはできるものの、壁面にブーケが取り付けられた状態となるように、生花を長持ちさせて飾ることができる壁掛け用の剣山がなく、生花を壁面に沿って縦方向に活けるだけの表現に限定されるものとなっていた。
【０００４】
［関連技術］
尚、関連する先行技術としては、特開２００３−２３０４７１号公報「簡易花瓶」（特許文献１）、実開平０６−２１４６９号公報「携帯用花束収納袋」（特許文献２）、実用新案登録第３１１９２７４号公報「納棺用花飾り装置」（特許文献３）、実用新案登録第３０４２２７１号公報「花器」（特許文献４）、特許第５２０１５５２号公報「フラワーアレンジメント法、フラワーアレンジメント用の保持ブロック、及びフラワーアレンジメント用教具」（特許文献５）がある。
【０００５】
特許文献１には、壁面に貼り付ける袋状の花瓶であって、その中に吸水性高分子を入れて上部の挿入口から切り花を挿入することが記載されている。
特許文献２には、撥水性シートを漏斗状の袋体に形成し、底部に水を含ませた吸水スポンジを入れ、そのスポンジに切り花を立て、壁面に係止することが記載されている。
特許文献３には、生花の茎を差し込んで固定する吸水性スポンジの生花固定部の外周囲に漏水防止の蝋コーティング層を設けたものが記載されている。
【０００６】
特許文献４には、天然繊維製シートの一側面にプラスチックフィルムを積層し、拡開開口状の有底外装体と、その底部及び側部に収容される筒状内装体と、それに挿入される吸水性の保持体と、有底外装体を外側から固定するバンド体とを有することが記載されている。
特許文献５には、フラワーアレンジメントの保持ブロックであって、上面、複数の立面、複数の斜面を有して多数の花材を刺すための複数の位置マークが形成されることが記載されている。
【先行技術文献】
【特許文献】
【０００７】
【特許文献１】特開２００３−２３０４７１号公報
【特許文献２】実開平０６−２１４６９号公報
【特許文献３】実用新案登録第３１１９２７４号公報
【特許文献４】実用新案登録第３０４２２７１号公報
【特許文献５】特許第５２０１５５２号公報
【考案の概要】
【考案が解決しようとする課題】
【０００８】
しかしながら、上記従来の生花を活ける容器では、生花を壁面の縦方向に沿って活けるもので、壁面において立体的に生花を活けるものではなく、水分を保持して外に漏れないようにし、更に、給水ができて保水状況を確認できて、生花を長持ちさせるものとはなっていないという問題点があった。
【０００９】
尚、特許文献１〜４は、生花を壁面の縦方向に活けるものであり、特許文献５は、壁掛け用とはなっておらず、防水を考慮していないものである。
【００１０】
本考案は上記実状に鑑みて為されたもので、壁面において生花を立体的に活けることができ、防水性と給水性に優れ、保水状況を確認でき、生花を長持ちさせる壁掛け用剣山を提供することを目的とする。
【課題を解決するための手段】
【００１１】
上記従来例の問題点を解決するための本考案は、壁掛け用の剣山であって、吸水性のスポンジと、スポンジを覆う防水性の透明部材と、スポンジの上部に設けられた給水口とを備えたことを特徴とする。
【００１２】
また、本考案は、上記壁掛け用の剣山において、給水口が、スポンジを縦方向に貫通する吸水管の上側開口部であることを特徴とする。
【００１３】
また、本考案は、上記壁掛け用の剣山において、スポンジが、フローラルフォームであり、下部に保水状況を確認する切り欠き部を備えたことを特徴とする。
【００１４】
また、本考案は、上記壁掛け用の剣山において、スポンジの背面に、スポンジより硬いプレートを配置して透明部材で覆うようにしたことを特徴とする。
【考案の効果】
【００１５】
本考案によれば、吸水性のスポンジを防水性の透明部材が覆い、スポンジの上部に給水口が設けられた壁掛け用の剣山としているので、壁面において生花を立体的に活けることができ、壁掛け用として防水性と給水性に優れ、生花を長持ちさせることができる効果がある。
【００１６】
本考案によれば、スポンジがフローラルフォームで、下部に保水状況を確認する切り欠き部を備えた上記壁掛け用の剣山としているので、保水状況を容易に確認できる効果がある。
【図面の簡単な説明】
【００１７】
【図１】本剣山の概要図である。
【図２】本剣山を台座に取り付けた概略図である。
【図３】本剣山の製造方法を示す概略図である。
【図４】本剣山の使用例を示す図である。
【考案を実施するための形態】
【００１８】
本考案の実施の形態について図面を参照しながら説明する。
［実施の形態の概要］
本考案の実施の形態に係る壁掛け用剣山（本剣山）は、吸水性のスポンジと、それを覆う防水性の透明部材と、スポンジを縦方向に貫通する給水管と、スポンジの下部に保水状況を確認する切り欠き部とを有するものとしているので、スポンジの正面、側面及び上面に生花の茎を刺して自在に活けることができ、透明部材でスポンジを包むことで吸水した水が外に漏れ出ることがなく、切り欠き部で保水状態を確認しながら給水管の給水口から給水できるものである。
【００１９】
つまり、本剣山は、防水性と給水性に優れ、生花をスポンジの正面、上面、側面に様々な方向から自在に活けることができるので、壁面において生花を立体的に活けることができるものとなっている。
【００２０】
［本剣山の使い方］
本剣山は、壁又は斜面を構成する台座に取り付けられ、給水管の上部の給水口から水を注ぎこんで透明部材で覆われたスポンジに水をしみ込ませ、透明部材の上からスポンジに向けて生花の茎を刺して、本剣山の正面、上面、側面に生花を立体的に活けるものである。
また、スポンジの下側に形成された切り欠き部から保水状況を確認して、水が不足している場合には、給水口から給水して生花を長持ちさせるものである。
【００２１】
［本剣山の概要：図１］
次に、本剣山の概要について、図１を参照しながら説明する。図１は、本剣山の概要図である。図１（ａ）が、本剣山の正面概略図であり、図１（ｂ）が、本剣山の左側面概略図である。
本剣山は、図１に示すように、吸水性のスポンジ１と、水を流し込む給水管２と、防水性の透明部材３とを基本的に備えている。
給水管１２は、スポンジ１の縦方向に形成された溝１２に配置され、透明部材１３は、スポンジ１を全体に包むように形成され、給水管１２の上側先端が透明部材１３から突出している。
【００２２】
［本剣山の各部］
本剣山の各部について具体的に説明する。
［スポンジ１］
吸水性のスポンジ１は、例えば、フローラルフォーム（生花用吸水スポンジ）であり、生花の茎を刺し込むことができる程度の硬さとなっている。
スポンジ１の背面には、図１（ｂ）に示すように、スポンジ１より硬いプレート１３が設置され、透明部材３が両者を一体に覆うように形成されている。プレート１３は、例えば、プラスチック製で本剣山の強度を高めるために設けられる。スポンジ１の強度が十分であれば、プレート１３を省略しても構わない。
【００２３】
そして、スポンジ１の正面下側中央部には切り欠き部１１がプレート１３に到達するまで切り取られて形成されている。当該切り欠き部１１を設けることにより、給水管２の下側端部から排出された水が切り欠き部１１に溜まっている状態（保水状況）を容易に確認できる。そして、切り欠き部１１に溜まった水が、その後スポンジ１に吸収されることになる。この切り欠き部１１がないと、水がスポンジ１に直接吸収されるため、溜まっている水の状況を確認できない。
尚、切り欠き部１１は、スポンジ１の正面に形成したが、側面に形成してもよい。この場合、給水管２の下側端部がその内部に突出するように形成するのが望ましい。
【００２４】
［給水管２］
給水管２は、スポンジ１を縦方向に貫通して設置されている。具体的には、スポンジ１の背面の中央縦方向に給水管２が収納できる溝（凹部）１２を形成し、当該凹部１２に給水管２を配置したものである。
また、給水管２は、例えば、ビニールパイプ又はアクリルパイプによって構成されている。
【００２５】
給水管２の下側先端は、スポンジ１の底面まで到達せず、底面との間では隙間が形成されるようにする。また、給水管２の上側先端の開口部が、給水口となっている。
つまり、給水管２の開口部に注がれた水は、給水管２を通って下側先端から放出され、切り欠き部１１と透明部材３との間で形成された空間に溜まり、その水がスポンジ１に吸水されるようになっている。
【００２６】
給水管２の給水口には、キャップ４が取り付けられる。キャップ４は、図１では、給水管２に挿入するタイプを示したが、給水口を覆うタイプであってもよい。
キャップ４は、スポンジ１の乾燥を防ぎ、台座に取り付けた場合に、台座が倒れた場合に本剣山の内部の水が漏れるのを防止している。
また、キャップ４の代わりに、給水管２に挿入可能な大きさの浮きを挿入し、当該浮きの出ている長さによって保水状況を確認するようにしてもよい。
【００２７】
［透明部材３］
透明部材３は、水を通さない透明のビニール素材で構成されている。ビニール素材の代わりに二重三重に重ねたラップ素材であってもよい。１枚のラップ素材であると茎を刺したときに破れる恐れがあるため、複数枚で覆うのが望ましい。
そして、透明部材３は、スポンジ１とプレート１３を包むように覆っており、給水管２の上端部分のみが突出するよう露出している。
【００２８】
［台座に取り付けた本剣山：図２］
次に、本剣山を台座５に取り付けた状態について図２を参照しながら説明する。図２は、本剣山を台座に取り付けた概略図である。
図２では、本剣山の背面と台座５の表面を貼り合わせたものである。具体的には、本剣山の背面（具体的には透明部材３の上）に両面テープが貼り付けられており、台座５の表面中央に本剣山の背面を接着させるものである。
尚、本剣山を台座５に固定するのに、バンド又はベルトを用いてもよい。
【００２９】
台座５の裏面は、折り畳みスタンドになっており、写真立てのように、机やテーブルの上に立てることができるようになっている。
また、台座５の裏面に紐又はチェーンを取り付けて、本剣山が接着した台座５を壁等の釘に掛けるようにしてもよい。台座５を設けることで、生花が直接壁面に触れることがないため、壁面を汚すことがなく、また、生花の取り換えも容易に行うことができる。
【００３０】
［本剣山の製造方法：図３］
次に、本剣山の製造方法について図３を参照しながら説明する。図３は、本剣山の製造方法を示す概略図である。
図３（ａ）に示すように、スポンジ１に対して、図３（ｂ）に示すように、正面から裏面に貫通するように切り欠き部１１を形成し、更にスポンジ１の背面中央縦方向に溝（凹部）１２を形成する。
【００３１】
そして、図３（ｃ）に示すように、スポンジ１の背面にプレート１３を配置して、ビニール等の透明部材３で覆う。
尚、本剣山の上部中央には給水管２を挿入するための開口部を形成しておく。
その開口部から給水管２を差し込み、底面までの隙間を残して給水管２を配置する。
本剣山の裏面に両面テープを貼り付け、給水管２にキャップ４を取り付けると、本剣山が完成する。
【００３２】
［本剣山の使用例：図４］
本剣山の使用例について図４を参照しながら説明する。図４は、本剣山の使用例を示す図である。
図４に示すように、本剣山に生花の茎を正面、側面、上面から複数刺し込んで、本剣山が隠れる程度に立体的に活けるようにする。図４の下側の茎の束は、本剣山に刺し込んだものではなく、テープで接着した飾りであるので、その茎の束によって本剣山の底部に穴が開くことはない。
【００３３】
本剣山に刺し込んだ花を動かせば、切り欠き部１１を覗くことができ、保水状態を確認できる。
また、本剣山の上部の給水管２も花を動かせば出てくるので、キャップ４を外して給水することができる。
【００３４】
本剣山のスポンジ１において、防水性を保持するためには、切り欠き部１１が形成されていない上側に花の茎を刺すのがよい。好ましくは、スポンジ１の上半分に花の茎を刺すのが望ましい。その場合、スポンジ１の各面に対してまっすぐ茎を刺すだけでなく、上又は下の斜め方向からも刺すようにする。
【００３５】
これにより、本剣山の下側が生花で隠れて目立たなくなるが、その下側に茎の束をテープで留めてリボン等で飾ることで、ブーケらしく見せることができる。
花の茎が透明部材３を突き破れずにスポンジ１に刺さらない場合には、先端が尖ったペン等で透明部材３に穴を開けて花の茎を刺し込むようにする。
【００３６】
［実施の形態の効果］
本剣山によれば、吸水性のスポンジ１と、それを覆う防水性の透明部材３と、スポンジ１を縦方向に貫通する給水管２と、スポンジ１の下部に保水状況を確認する切り欠き部１１とを有するものとしているので、スポンジ１の正面、側面及び上面に透明部材３を介して生花の茎を刺して自在に立体的に活けることができ、透明部材３でスポンジ１を包むことで吸水した水が漏れ出すことがなく、切り欠き部１１で保水状態を確認しながら給水管２の給水口から給水でき、生花を長持ちさせる効果がある。
【産業上の利用可能性】
【００３７】
本考案は、生花を壁面から盛り上がるように活けることができ、防水性と給水性に優れ、保水状況を確認でき、生花を長持ちさせる壁掛け用剣山に適している。
【符号の説明】
【００３８】
１…スポンジ、  ２…給水管、  ３…透明部材、  ４…キャップ、  ５…台座、  １１…切り欠き部、  １２…溝（凹部）、  １３…プレート
【図１】
0003215757.tif 000003
【図２】
0003215757.tif 000004
【図３】
0003215757.tif 000005
【図４】
0003215757.tif 000006